(57)【要約】【課題】発光表示態様の種類や見るタイミングといった条件に左右されることなく、伝えるべき情報を確実に且つ時間的な遅れを発生させることなく周囲に伝達することが可能な表示装置を提供することを課題としている。【解決手段】特定の標識や図柄を表す主表示部１の周囲に、標識や図柄の輪郭形状を表す副表示部２を形成し、主表示部１を表示する際の表示態様が消灯期間を含むときに副表示部２を連続発光させる。また、主表示部１を表示する際の表示態様が主表示部１に配置する発光体の一部を消灯するときに副表示部２を連続発光させる。【選択図】図１
2008286857.tif 000002
【特許請求の範囲】
【請求項１】
標識図等を表す所定パターン領域に発光体を配列して構成する主表示部と、
該主表示部の周縁輪郭線に沿って発光体を配列して構成する副表示部と、
前記主表示部の発光体を発光駆動する主表示駆動部と、
前記副表示部の発光体を発光駆動する副表示駆動部と、
前記主表示部及び前記副表示部の発光表示態様を制御する制御部とを備え、
前記主表示部を消灯期間を含む発光表示態様で表示するとき、前記副表示部を連続発光動作の発光表示態様で表示することを特徴とする表示装置。
【請求項２】
請求項１記載の表示装置において、前記主表示部における消灯期間を含む発光表示態様が、発光動作と消灯動作を組み合わせた点滅動作であることを特徴とする表示装置。
【請求項３】
標識図等を表す所定パターン領域に発光体を配列して構成する主表示部と、
該主表示部の周縁輪郭線に沿って発光体を配列して構成する副表示部と、
前記主表示部の発光体を発光駆動する主表示駆動部と、
前記副表示部の発光体を発光駆動する副表示駆動部と、
前記主表示部及び前記副表示部の発光表示態様を制御する制御部とを備え、
前記主表示部に配列する発光体の一部を消灯した発光表示態様で表示するとき、前記副表示部を連続発光動作の発光表示態様で表示することを特徴とする表示装置。
【請求項４】
請求項３記載の表示装置において、前記主表示部における発光体の一部を消灯した発光表示態様が、主表示部の発光領域を複数に分割して各分割領域ごとに発光させる発光動作であることを特徴とする請求項１記載の表示装置。
【発明の詳細な説明】
【技術分野】
【０００１】
本発明は、予め定められた所定の図形・図柄・標識等のパターンに合わせてＬＥＤ（発光ダイオード）等の発光体を配置し、各発光体を点滅させることで周囲に注目効果を与えつつ発光表示を行う表示装置に関する。
【背景技術】
【０００２】
従来、特許文献１や特許文献２に示すように、道路標識図に合わせてＬＥＤを配置した標識装置や、広告用文字や図形を表すようにＬＥＤを配置した埋め文字方式の表示装置が知られている。ＬＥＤをドットマトリクス配置して任意の表示パターンを表示できるようにした表示装置と比較して、使用するＬＥＤの数を大幅に減らすことが可能であり、表示装置を安価に提供できるという点が特徴である。
【０００３】
こうした埋め文字方式の表示装置は、周囲に伝える表示内容が固定されるため、広い用途に対応可能な標識や図形の表示に用いられることが多く、中でも方向を示す矢印の表示を行う場合にしばしば採用される。例えば、道路に面した店舗や施設への誘導に用いたり、あるいは道路工事箇所での注意喚起や通行区分の案内などに用いられている。そして、走行中の車両運転手に向けて素早く的確に情報を伝達するために、矢印図形を点滅発光させたり、矢印の示す方向に光の動きを与えるなどして視線捕捉効果を高めるようにしている。
【０００４】
しかしながら、このように従来行われていた発光表示の態様は、見るタイミングによって情報の伝達に遅れが生じることがあった。矢印図形を点滅表示させている場合では、見るタイミングが矢印の消灯期間と丁度重なったときに、短時間ではあるが何も表示を行っていない状態と同じ状況が発生するのである。消灯期間から点灯期間に変わった時点で矢印表示を認識することができるが、走行中の車両運転手からすると、短時間とはいえ表示の認識が遅れる間にも車両は移動しているため、運転速度によっては対応に遅れが発生することがあり、好ましい状態とはいえなかった。また、一つの矢印図形を複数の点灯区画に分割し、個々の点灯区画を順に点灯させていくことで矢印を徐々に形成する表示態様の場合では、矢印図形の先端の矢の部分が表示されてはじめて矢印としての意味が伝達されることになり、注意喚起や視線捕捉といった点では効果があるものの、最初の点灯区画が点灯してから矢の部分が点灯するまでの間は矢印として認識していない状態となり、やはり車両運転手にとって好ましくなかった。
【特許文献１】特開平１１−３２７４７２号
【特許文献２】特開２００２−２１５０７０号
【発明の開示】
【発明が解決しようとする課題】
【０００５】
本発明は上記のような従来の問題点を解決するため、特定の標識や図柄を固定的に表示する埋め文字方式の表示装置において、発光表示態様の種類や見るタイミングといった条件に左右されることなく、伝えるべき情報を確実に且つ時間的な遅れを発生させることなく周囲に伝達することが可能な表示装置を提供することを課題としている。
【課題を解決するための手段】
【０００６】
本発明は上記課題を解決するために、標識図等を表す所定パターン領域に発光体を配列して構成する主表示部と、該主表示部の周縁輪郭線に沿って発光体を配列して構成する副表示部と、前記主表示部の発光体を発光駆動する主表示駆動部と、前記副表示部の発光体を発光駆動する副表示駆動部と、前記主表示部及び前記副表示部の発光表示態様を制御する制御部とを備え、前記主表示部を消灯期間を含む発光表示態様で表示するとき、前記副表示部を連続発光動作の発光表示態様で表示することを特徴とする表示装置を提案する。
【０００７】
上記提案の表示装置は、主表示部における消灯期間を含む発光表示態様が、発光動作と消灯動作を組み合わせた点滅動作であることが望ましい。
【０００８】
また、標識図等を表す所定パターン領域に発光体を配列して構成する主表示部と、該主表示部の周縁輪郭線に沿って発光体を配列して構成する副表示部と、前記主表示部の発光体を発光駆動する主表示駆動部と、前記副表示部の発光体を発光駆動する副表示駆動部と、前記主表示部及び前記副表示部の発光表示態様を制御する制御部とを備え、前記主表示部に配列する発光体の一部を消灯した発光表示態様で表示するとき、前記副表示部を連続発光動作の発光表示態様で表示することを特徴とする表示装置を提案する。
【０００９】
上記提案の表示装置は、前記主表示部における発光体の一部を消灯した発光表示態様が、主表示部の発光領域を複数に分割して各分割領域ごとに発光させる発光動作であることが望ましい。
【発明の効果】
【００１０】
本発明によれば、特定の標識や図柄を表す主表示部の周囲に、標識や図柄の輪郭形状を表す副表示部を形成し、主表示部を表示する際の表示態様が消灯期間を含むときに副表示部を連続発光させるので、主表示部が消灯している期間にあるときは副表示部で標識や図柄の輪郭形状を表示する。従って、表示装置の表示画面には常に標識・図柄が認識可能な状態で表示されることになり、見る側のタイミングによって表示画面に何も表示されていないと誤認される事態を防ぐことができる。
【００１１】
特に、主表示部の表示態様が発光と消灯を繰り返す点滅発光動作であれば、発光期間中は標識・図柄の全体像を発光表示し、続く消灯期間では標識・図柄の周縁部を縁取る輪郭線のみを発光表示するので、例えば、矢印図形を表示する場合であれば、矢印全体を発光させた状態と矢印を中抜きして輪郭線のみを表示した状態とを交互に繰り返すことになる。それにより、矢印の形状を常に認識可能にした状態で視線捕捉効果を高めることができる。
【００１２】
また、主表示部を表示する際の表示態様が主表示部の発光体の一部を消灯するときに副表示部を連続発光させるので、表示装置の表示画面には常に標識・図柄が認識可能な状態で表示されることになり、これまでのように主表示部の要所となる箇所（例えば矢印の矢の部分）が点灯してはじめて情報伝達が完了するといった時間的遅れを無くすことができる。
【００１３】
また、主表示部の表示態様が主表示部を複数の点灯区画に分割し、区画ごとに発光させる表示態様であれば、標識・図柄の周縁部を縁取る輪郭線を常に表示した状態で、輪郭線で囲まれた内側の領域で点灯区画単位の表示を行うことができる。従って矢印図形を表示する場合であれば、矢印の輪郭形状を常に表示しながら輪郭線で囲んだ内側領域を徐々に発光群で埋めていく発光動作を行うことができ、矢印の形状を常に認識した状態で視線捕捉効果を高めることができる。
以下、本発明の好適な実施形態を図面を参照しながら説明する。
【実施例】
【００１４】
図１は本発明実施例による表示装置の全体構成を示す説明図である。１は主表示部で、プリント基板上に複数のＬＥＤを矢印形状に配置して構成している。棒形状の部分と矢形状の部分とからなる矢印形状の領域内を埋めるようにＬＥＤを密に配置しており、ＬＥＤを点灯させることで図中左向きの矢印を発光表示可能にしている。２は副表示部で、主表示部１の周縁部に複数のＬＥＤを配置して構成しており、矢印の周縁を取り囲む輪郭線をＬＥＤの発光により表示可能にしている。
【００１５】
主表示部１と副表示部２は、発光制御上、図中の点線で示すように複数の点灯区画に分割しており、主表示部１を１ａ、１ｂ、１ｃ、１ｄ、１ｅ、１ｆ、１ｇの７区画に分割し、これと対応して主表示部の周囲に位置する副表示部２を２ａ、２ｂ、２ｃ、２ｄ、２ｅ、２ｆ、２ｇの７区画に分割している。そして、主表示部１と副表示部２のそれぞれ同一区画に含まれるＬＥＤを区画ごとに一斉に点灯／消灯できるようにしている。３は主表示駆動部で、主表示部１に配置され矢印図形を形成する複数のＬＥＤを点灯区画１ａ〜１ｇの各区画ごとに点灯／消灯駆動する。４は副表示駆動部で、副表示部２に配置するＬＥＤを点灯区画２ａ〜２ｇの各区画ごとに点灯／消灯駆動する。５は記憶部で、「表示装置全体の動きに関する動作プログラム」「主表示部１の発光表示態様」「副表示部２の発光表示態様」「主表示部１及び副表示部２のＬＥＤを発光駆動する際の発光輝度データ」「その他各種設定データ」を記憶している。６は制御部で、記憶部５で記憶するプログラムや各種データに従い表示処理手順をこなす。７は入力操作部で、本実施例ではデジタルスイッチを採用しており、ボタン操作に応じて主表示部１と副表示部２の表示態様を選択し設定する。制御部６は、入力操作部７で設定した発光表示態様のデータを記憶部５から読み出し、主表示駆動部３と副表示駆動部４に駆動制御信号を出力する。なお、図示しないが、入力操作部７をリモコン受信部（受光部）で構成し、リモコンで操作するようにしても良い。
【００１６】
次に、本発明の動作について説明する。図２は主表示部１および副表示部２で表示する表示態様の一例を示したものであり、副表示部２を常に点灯した状態で主表示部１を点滅表示する発光動作を表している。この動作では、副表示部２のＬＥＤを点灯した状態で主表示部１のＬＥＤを所定時間（例えば０．５秒）点灯し＜２−１＞、続いて、副表示部２のＬＥＤを点灯した状態で主表示部１のＬＥＤを所定時間（例えば０．５秒）消灯する＜２−２＞。この動作を繰り返すことにより、矢印図形の周囲輪郭線を常時点灯させた状態で、輪郭線の内側領域を点滅させる発光動作を現出することができる。この動作の場合、主表示部１の各点灯区画１ａ〜１ｇは一斉に同じタイミングで点灯と消灯の切り換えを行っている。
【００１７】
図３は、副表示部２を常に点灯させた状態で主表示部１の矢印を徐々に成長させていくイメージの発光動作を表している。まず、副表示部２を点灯した状態で主表示部１の右端に位置する点灯区画１ｇを所定時間（例えば０．３秒）点灯し＜３−１＞、次に副表示部２のＬＥＤと主表示部１の点灯区画１ｇを点灯した状態で点灯区画１ｆを新たに点灯し、その状態を所定時間（例えば０．３秒）継続する＜３−２＞。以降、同様にして副表示部２を点灯しながら主表示部１を点灯区画１ａまで点灯する＜３−７＞ことにより、矢印図形の周縁輪郭線を常時点灯させた状態で、輪郭線の内側領域を右端の点灯区画から左端へ向けて徐々に点灯させていく発光動作を実現する。
【００１８】
図４は、副表示部２を常に点灯させた状態で主表示部１の矢印を徐々に発光群を蓄積しながら形成していくイメージの発光動作を表している。まず、副表示部２を点灯した状態で、主表示部１の右端の点灯区画１ｇから左端の１ａに向けて点灯区画を順送りで点灯させていき、１つの点灯区画が右端から左端へ移動した後に左端で点灯するイメージの発光動作を実行する＜４−１＞。同様にして主表示部１の右端から左へ向けて点灯区画が移動し、点灯中の１ａに加えて１ｂを点灯するイメージの発光動作を実行する＜４−２＞。以降、同様にして副表示部２を点灯しながら主表示部１を点灯区画１ａまで点灯する＜４−７＞ことにより、矢印図形の周縁輪郭線を常時点灯させた状態で、輪郭線の内側領域を右端から左に向けて発光群が移動し、左端に発光群が蓄積されて矢印が形成されていく発光動作を実現する。
【００１９】
以上、本発明の一実施例について説明したが、本発明は上記実施例に限定されることなく、特許請求の範囲を逸脱しない範囲で種々の実施が可能である。例えば、主表示部と副表示部とで表示する標識・図柄のパターンは左向きの矢印だけでなく他の方向を示す矢印でも良く、また、矢印ではなく他の標識や図柄、文字、絵記号でも実施可能であることは言うまでもない。また、複数の点灯区画を発光制御して得られる発光表示態様も図３・図４の動作に限定されるものではなく、他の発光動作でも良い。例えば、点灯区画ごとに発光駆動するのに複数段階の発光輝度で階調駆動し、点灯区画間に複数段階の濃淡を与えてグラデーション表示を行っても良い。また、副表示部は、途切れなく連続した輪郭線である必要はなく、少なくとも表示する標識図等の輪郭が認識できる程度であれば良い。したがって、発光体同士の間に間隔を置きながら配置したり、あるいは所々で間隔をあけて配置しても良い。
【図面の簡単な説明】
【００２０】
【図１】本発明実施例の全体構成を示す説明図である。
【図２】発光表示態様の一例を示す説明図である。
【図３】発光表示態様の他の一例を示す説明図である。
【図４】発光表示態様の更に他の一例を示す説明図である。
【符号の説明】
【００２１】
１  主表示部
２  副表示部
３  主表示駆動部
４  副表示駆動部
５  記憶部
６  制御部
７  入力操作部
【図１】
2008286857.tif 000003
【図２】
2008286857.tif 000004
【図３】
2008286857.tif 000005
【図４】
2008286857.tif 000006